(57)【要約】【課題】腕から外れまたは破損した場合、関連部署に通報する警報メッセージを直接発信可能な携帯用追跡警報装置を提供すること。【解決手段】腕時計構成における携帯用追跡警報装置は、主本体及び時計バンドから構成される。主本体は、位置送信器モジュール、マイクロスイッチ、及び引金式アセンブリから構成される。時計バンドは、ユーザーが装着するのに使用され、引金式アセンブリがマイクロスイッチに接触しないように、引金式アセンブリを引っかけるために主本体に延長するフックを有する。時計バンドが破損して、フックが引金式アセンブリから外れる場合、引金式アセンブリは、マイクロスイッチに触れて押し、位置送信器モジュールに警報メッセージを発信させる。【選択図】図７
0003147847.tif 000002
【実用新案登録請求の範囲】
【請求項１】
主本体と時計バンドを有し、
前記主本体は、位置送信器モジュール、マイクロスイッチ、引金式アセンブリ、及び弾性部材から構成され、
前記位置送信器モジュールは、前記マイクロスイッチと電気的に接続され、
前記引金式アセンブリは、前記主本体に対して旋回し、前記マイクロスイッチに対応して配置され、
前記弾性部材は、正常に前記引金式アセンブリを押して前記マイクロスイッチと接触するように、前記式引金式アセンブリに勘合し、
前記時計バンドは、前記引金式アセンブリと反対の前記主本体の他方側と接続している一端、及び装着時に前記主本体の一側面でのループ域を囲むように引金式アセンブリを係止するために前記主本体に延長するフックを具備する他方端、を有し、
前記引金式アセンブリと前記マイクロスイッチとの間の距離は維持されており、
前記マイクロスイッチが送信信号を発生するようにフックが外れている場合、前記弾性部材は、前記引金式アセンブリを駆動して、前記マイクロスイッチを押し、前記位置送信器モジュールは、送信信号を受信して警告メッセージを発信するように構成されることを特徴とする、
携帯用追跡警報装置。
【請求項２】
前記位置送信器モジュールが、衛星位置決め情報用の衛星位置受信器、無線通信器、及び前記マイクロスイッチ、前記衛星位置受信器、及び前記無線通信器と電気的に接続されているマイクロプロセッサ、から構成され、前記マイクロプロセッサは、送信信号及び衛星位置決め情報を受信して、無線通信器を制御して、衛星位置決め情報を含む警報メッセージを発信することを特徴とする、請求項１に記載の携帯用追跡警報装置。
【請求項３】
前記主本体は、二個の相反する接続部分を有し、時計バンドの一端は、一個の接続部分に対して旋回し、前記引金式アセンブリ及び前記弾性部材は、他の接続部分内に設置され、時計バンドの他方端での前記フックは、同一の接続部分に挿入されていることを特徴とする、請求項１に記載の携帯用追跡警報装置。
【請求項４】
前記引金式アセンブリは、少なくとも一個の引金部分を有し、前記接続部分は、少なくとも前記引金部分に対応する一個の開口部を有し、前記引金アセンブリは外部に揺れて、フックに前記引金アセンブリを解放させるように解放部材は開口部を通過して、引金式アセンブリを押すことを特徴とする、請求項３に記載の携帯用追跡警報装置。
【請求項５】
前記時計バンドは、少なくとも一本の可動鋼線及び少なくともその中に埋め込まれた一本の延長バネを有し、前記鋼線の一端は、前記フックに接続され、他方端は、前記延長バネに接続され、前記フックは、引金式アセンブリを引っ張る状態を維持するように、前記延長バネは、鋼線を引っ張ることを特徴とする、請求項１に記載の携帯用追跡警報装置。
【請求項６】
前記時計バンドは、前記主本体に対して旋回する接続ベルト、バックリング・ベルト、及び前記ループ域に直面している間前記接続ベルトと前記バックリング・ベルトとの間に設置された調整部材から構成され、前記フックは、バックリング・ベルトの一端上に配置され、前記ループ域を調整するように、前記部材は、バックリング・ベルトの他方端上に配置されることを特徴とする、請求項１に記載の携帯用追跡警報装置。
【請求項７】
前記調整部材は、二個の限定ループ、前記二個の限定ループ間に配置された埋め込みブロック、及び複数の位置決め穴から構成され、前記限定ループ及び前記埋め込みブロックは、前記フックに反対側のバックリング・ベルトの他方端上に設置され、位置決め穴は、前記接続ベルト内に開口され、前記接続ベルトは、前記限定ループを通過し、前記埋め込みブロックをそれぞれ位置決め穴に埋め込むことにより、前記接続ベルトをバックリング・ベルトを組み合わせループ域を調整するるように、埋め込みブロックは、前記位置決め穴の一つに埋め込まれることを特徴とする、請求項６に記載の携帯用追跡警報装置。
【請求項８】
前記調整部材は、二個の限定ループ、前記限定ループ間に配置された埋め込みブロック、及び複数の位置決め穴を有し、前記位置決め穴はバックリング・ベルト内に開口され、前記限定ループ及び前記埋め込みブロックは、前記接続ベルト上に配置され、前記バックリング・ベルトは、前記限定ループを通過し、前記埋め込みブロックをそれぞれ位置決め穴に埋め込むことにより前記接続ベルトをバックリング・ベルトを組み合わせてループ域を調整するように、前記埋め込みブロックは、前記位置決め穴の一つに埋め込むことを特徴とする、請求項６に記載の携帯用追跡警報装置。
【請求項９】
前記バックリング・ベルトは、その中に埋め込まれた鋼線を有し、前記鋼線は、前記フックに接続し、前記ループ域を囲むように延長することを特徴とする、請求項６に記載の携帯用追跡警報装置。
【請求項１０】
前記接続ベルトは、その中に埋め込まれた鋼線を有し、前記鋼線は、前記ループ域を囲むように延長することを特徴とする、請求項６に記載の携帯用追跡警報装置。
【考案の詳細な説明】
【技術分野】
【０００１】
本考案は、追跡位置決め装置に関し、特に全地球方位技術を利用した携帯用追跡警報装置に関するものである。
【背景技術】
【０００２】
全地球方位システム（ＧＰＳ）は、位置決め用の基準を提供するために振り向けられた２４個の軌道周回衛星を使用する、米軍が開発した位置決めシステムであり、衛星信号受信器は、衛星から送信される信号を受信して、航行、位置、及び時間移動の機能を提供する。初期の段階において、ＧＰＳは、主に軍事目的に使用され、その用途レベルは、相対的に限定されていた。しかしながら、ＧＰＳが民生用に利用されるようになった後に、ＧＰＳの普及は急速に伸び、その利用分野は、急速に多様化して、人々の生活にとってより一層便利なものとなっている。
【０００３】
現在では、ＧＰＳは、航空機、船舶、車輛、盗難防止のような輸送装置用の航法及び位置決め、車輛または物品の監視、及び登山及び冒険活動の位置決め及び通信用のような分野で広範に利用されている。各種の機能において、盗難防止及び監視機能は、人々の日常生活に密接に関連している。社会構造の産業化に伴ない、窃盗や誘拐のような各種の公共安全の問題が発生している。従って、衛星送信器内臓型製品、例えば、高級自動車、電子製品等が市場に出現し、盗難に遭った物品がＧＰＳの利用により発見できる場合があるため、その効果は積極的に評価されている。更に、携帯用追跡位置決装置は、危険に遭遇しまたは道に迷った場合、当該装置を身体に装着している人々を追跡するために、衛星送信器内蔵型腕時計や携帯電話のように、高齢者及び幼児児童用に設計されている。
【考案の開示】
【考案が解決しようとする課題】
【０００４】
実用面において、腕時計は、大衆が通常腕に装着するアクセサリーであり、そのユーザーから外れることは、ほとんどない。従って、腕時計は、携帯用追跡位置決め装置として使用することに適している。腕時計追跡位置決め装置は、通常の状態では時刻を読むための共通の腕時計として機能できる。腕時計は、一定の位置に設置されている送信ボタンを更に備えて、当該ユーザーが緊急時にこのボタンを押して内蔵型衛星通信器に信号を送信させることができ、関連部署に追跡位置や警報メッセージを提供して、このように偶発事故を防止する。しかしながら、ユーザーが送信ボタンを押す前に腕時計が腕から外れまたは破損しているという、幾つかの特殊な事態において、腕時計追跡位置装置はその所定の機能を発揮できなく、この課題が適切に注目されていないし、解決されてもいない。
従って、現在、市場で入手可能な腕時計追跡位置装置は、完璧に設計されていし、ユーザーの所定の保護には至っていない。故に、腕時計追跡位置器装置は、依然改良が必要である。
【０００５】
腕から外れまたは破損し、緊急事態に不完全である場合、当初の機能が失われる通常の腕時計手追跡位置装置の観点から、本考案は、腕から外れまたは破損した場合、関連部署に通報する警報メッセージを直接発信可能な携帯用追跡警報装置に向けられている。
【課題を解決するための手段】
【０００６】
従って、主本体及び時計バンドから構成される携帯用追跡警報装置が提供される。主本体及び時計バンドは、通常ユーザーが身に付けることができる腕時計から構成される。主本体は、実質的に腕時計の本体であり、時計バンドは、実質的に腕時計のベルトである。主本体は、位置送信器モジュール、マイクロスイッチ、引金式アセンブリ、及び弾性部材から構成されている。位置送信器モジュールは、電気的にマイクロスイッチに接続されている。引金式アセンブリは、主本体の一側面に対して旋回して、マイクロスイッチに対応して配置される。弾性部材は、引金式アセンブリ上に嵌められて、引金式アセンブリを正常に押してマイクロスイッチと接触する。時計バンドの一端は、引金式アセンブリと反対側の主本体の他方端に接続されている。他方端はフックを有する。時計バンドは、腕時計を装着するために主本体の一側面でループ域を囲むように、フックは、主本体まで延長して、引金式アセンブリを引っかける。引金式アセンブリとマイクロスイッチとの間で一定の位置が維持される。マイクロスイッチは、送信信号を発生させるように、弾性部材は、フックが外れている場合、引金式アセンブリを駆動して、マイクロスイッチを押す。位置送信器モジュールは、その時、マイクロスイッチからの送信信号を受信して、警報メッセージを発信する。
【考案の効果】
【０００７】
本考案は、時計バンドが外れるかまたは破損した場合、フックが引金式アセンブリを解放する状態で、弾性部材が引金式アセンブリを駆動して、マイクロスイッチを押す効果を達成し、このように、位置送信器モジュールは、警報を発する。ユーザーが危険または偶発事件に遭遇したとき腕時計が外れているか又は破損している場合、この機構は、効果的に携帯用追跡警報装置が自動的に警報メッセージを発信させることができる。
【考案を実施するための最良の形態】
【０００８】
以下、本考案の目的、構造、特徴、及び機能は、添付の考案において詳細に詳細に説明する。
【０００９】
［構成］
図１から図８までを参照して、本願の第１考案の携帯用追跡警報装置を示す。第１考案の携帯用追跡警報装置は、主本体１０及び時計バンド２０から構成される。主本体１０及び時計バンド２０は、実際はユーザーが（腕上に）装着することができる腕時計から構成される。主本体１０は、実質的に腕時計の本体であり、時計バンド２０は、実質的に腕時計のベルトである。
【００１０】
図１、２、３、４、及び５までを参照すると、主本体１０は、共通の腕時計の構成部品を設置するために設けられた中空内部付きの平らなケ−スである。主本体１０は、二個の側面に二個の相反する接続部分１１を有する。主本体１０は、更に位置送信器モジュール１２、マイクロスイッチ１３、引金式アセンブリ１４、及び弾性部材１５から構成される。位置送信器モジュール１２は、主本体１０内に設置され、引金式アセンブリ１４及び弾性部材１５は、二個の接続部分１１のうちの一個の中に設置され、並びにマイクロスイッチ１３は、接続部分１１と主本体１０との間に設置される。
【００１１】
引金式アセンブリ１４が、マイクロスイッチ１３と接触する場合、マイクロスイッチ１３は、送信信号を発生する。マイクロスイッチ１３に電気的に接続された位置送信器モジュール１２は、衛星位置決め受信器１２１、無線通信器１２２、及びマイクロプロセッサ１２３から構成される。衛星位置決め受信器１２１は、衛星位置決め情報を受信、即ち、ＧＰＳからの衛星信号を受信するために使用され、携帯用追跡警報装置の位置（緯度、軽度、及び高度）の位置決めを行う。無線通信器１２２は、無線信号による、例えば、無線ネットワーク、無線信号、及び衛星信号によるデータを送信できる通信器である。マイクロプロセッサ１２３は、マイクロスイッチ１３、衛星位置決め受信器１２１、及び無線通信器１２２と電気的に接続されている。また、マイクロプロセッサ１２３は、マイクロスイッチ１３からの送信信号及び衛星位置決め受信器１２１からの衛星位置決め情報を受信し、無線通信器１２２を制御して、衛星位置決め情報を含む警報メッセージを発信する。
【００１２】
引金式アセンブリ１４は、主本体１０の一側面に対して旋回し、マイクロスイッチ１３に対応して配置される。引金式アセンブリ１４は、シャフト部分１４１、接触部分１４２、フック部分１４３、及び二個の引金部分１４４を有する。接触部分１４２及びフック部分１４３は、シャフト部分１４１の二個の端面にそれぞれ位置する。引金式アセンブリ１４は、シャフト部分１４１を介して主本体１０の接続部分１１に対して旋回し、接触部分１４２は、マイクロスイッチ１３に直面される。マイクロスイッチ１３は作動して送信信号を発生するように、接触部分１４２は、マイクロスイッチ１３を押す。引金式アセンブリ１４及びフック部分１４３は、同一端面に配置される。二個の貫通口１１１は、主本体１０の接続部分１１内に開口され、引金式アセンブリ１４の引金部分１４４に対応してそれぞれ配置される。
【００１３】
弾性部材１５は、引金式アセンブリ１４に勘合して、引金式アセンブリ１４の接触部分１４２を正常に押して、マイクロスイッチ１３に接触する。本考案において、弾性部材１５は、弾性力を付与するために変形された湾曲中間部分を備える平らなバネである。弾性部材１５の一端は、主本体１０の浮き彫りシートに対して作用し、他方端は、引金式アセンブリ１４のフック部分１４３に対して作用する。弾性部材１５が引金式アセンブリ１４をマイクロスイッチ１３の方向に正常に押すことができる限り、弾性部材１５はねじりバネまたは弾性物品でもよい。
【００１４】
図１、２、３、４、５、及び６を参照すると、時計バンド２０は、引金式アセンブリ１４に対して反対側の主本体１０の他方面に接続されている一端を有する平らなベルトであり、他方端は、フック２１を備える。時計バンド２０の一端は、引金式アセンブリ１４を有しない接続部分１１に対して旋回し、引金式アセンブリ１４及び弾性部材１５は、主本体１０の他方接続部分１１内に設置される。時計バンド２０のフック２１は、引金式アセンブリ１４を有する接続部分１１に挿入できる。時計バンド２０は、ユーザーが腕に装着するために主本体１０の一側面でのループ域２０１を囲むように、フック２１は、主本体１０の接続部分１１に延長して、引金式アセンブリ１４を引っかける。
【００１５】
ユーザーが時計バンド２０を介して主本体２０、即ち、フック２１が引金式アセンブリ１４を引っかける場合、引金式アセンブリ１４の接触部分１４２とマイクロスイッチとの間の距離が維持されるように、フック２１は、引金式アセンブリ１４のフック部分１４３を捕捉できる。フック２１は、引金式アセンブリ１４のフック部分１４３を捕捉する場合、弾性部材１５は、ねじられて変形して、弾性力を生じて引金式アセンブリ１４を押し、マイクロスイッチ１３に向かって振れる。フック２１が引金式アセンブリ１４のフック部分１４３を解放する場合、弾性部材１５は、引金式アセンブリ１４を駆動し、マイクロスイッチ１３を押して、マイクロスイッチ１３は、上述の送信信号を発生する。
【００１６】
時計バンド２０は、接続ベルト２３、バックリング・ベルト２４、及びループ域２０１に直面する調節部材２５から構成される。接続ベルト２３の一端は、主本体１０の接続部分１１に対して旋回し、調節部材２５は、接続ベルト２３とバックリング・ベルト２４との間に配置される。フック２１は、バックリング・ベルト２４の一端上に配置され、調節部材２５は、バックリング・ベルト２４の他方端上に配置される。ループ域２０１を調節するために使用される調節部材２５は、限定ループ２５１間に配置される埋め込みブロック２５２、及び複数の位置決め穴２５３から構成される。
【００１７】
本考案において、限定ループ２５１及び埋め込みブロック２５２は、フック２１とは反対側のバックリング・ベルト２４の他方端上に配置され、位置決め穴２５３は、接続ベルト２３内に開口される。接続ベルト２３は、限定ループ２５１を通過し、埋め込みブロック２５２は、位置決め穴２５３の一つに埋め込まれ、埋め込みブロック２５２を位置決め穴２５３にそれぞれ埋め込むことにより、接続ベルト２３とバックリング・ベルト２４とを組み合わせループ域２０１を調節する。バックリング・ベルト２４及び接続ベルト２３は、その中に埋め込まれた２本の鋼線を有する。各鋼線２２は、延長してループ域２０１を囲み、バックリング・ベルト２４の鋼線２２の一端はフック２１に接続される。
【００１８】
また、本願考案において、限定ループ２５１、埋め込みブロック２５２、及び位置決め穴２５３の位置は、交換できる。即ち、限定ループ２５１及び埋め込みブロック２５２は、接続ベルト２３上に配置され、位置決め穴２５３は、バックリング・ベルト２４内に配置される。従って、バックリング・ベルト２４は、限定ループ２５１を通過し、埋め込みブロック２５２は、位置決め穴２５３の一つに埋め込まれ、埋め込みブロック２５２をそれぞれ位置決め穴２５３に埋め込むことにより、接続ベルト２３をバックリング・ベルト２４に組み合わせ、ループ域２０１を調節する。調節部材２５の位置を交換する方法は、簡単に理解され、図面には表示されない。
【００１９】
図４、５、６、７、及び８を参照して、ユーザーが本考案の携帯用追跡警報装置をはめる前に、調節部材２５は、適切なループ域２０１を調節する。この時、主本体１０は、（図４及び６に示すような）初期の状態を取る。引金式アセンブリ１４は、マイクロスイッチ１３を押し続けても、マイクロスイッチ１３は、送信信号を発生しない。一度引金式アセンブリ１４がマイクロスイッチ１３から離れるならば、主本体１０は、（図５及び７に示されるように）検知状態に入り、引金式アセンブリ１４が再びマイクロスイッチ１３を押す限り、マイクロスイッチ１３は、送信信号を発生する。このモード変更は、ファームウェア及び主本体１０に内蔵されたマイクロプロセサー１２３により制御できる。主本体１０上に配置された切換えボタンは、ユーザーが当初の状態及び検知状態を切り換えるのに押すためにもまた使用できる。
【００２０】
適切なループ域２０１を調節後、ユーザーは、主本体１０を腕上に置いて、時計バンド２０を腕の周りに巻いて、フック２１が引金式アセンブリ１４を引っかけるように、フック２１を主本体１０の接続部分１１に挿入する。その時、引金式センブリ１４は、揺れてマイクロスイッチ１３から離れ、このように、主本体１０は、当初の状態から検知状態に切換える。その時、ユーザーは、本考案の携帯用追跡警報装置をはめる手順を終了する。その後、一度携帯用追跡警報装置がユーザーの腕から離れたならば、即ち、ユーザーが危険に遭遇し、弾性部材１５が引金式アセンブリ１４を押して、マイクロスイッチ１３を揺らして押し、マイクロプロセッサ１２３が従って無線通信器１２２を制御して、上述の警報メッセージを関連部署に発信する。ユーザー自身が身につけている本考案の携帯用追跡警報装置を外すことを意図して、引金式アセンブリ１４が外側に揺れてフック２１が引金式アセンブリ１４を解放するように、ユーザーは、棒状解放部材３０を使用して接続部分の開口部１１１に通して、引金部分１４４を押すことができる。
【００２１】
また、時計バンド２０の接続ベルト２３及びバックリング・ベルト２４がそれぞれそこに埋め込まれた鋼線２２を有しているので、フック２１により捕捉された引金式アセンブリ１４の部分は、携帯用追跡警報装置の構造内で脆弱な部分となる。たとえ時計バンド２０が外力下で強制的に破損したならば、破損フック２１と引金式アッセンブリ１４の引っかけ関係は、まず影響を受ける。それにより、弾性部材１５は、引金式アセンブリ１４を押して、マイクロスイッチ１３を揺らして押し、マイクロプロセッサ１２３はこのように無線通信器１２２を制御して、従って警報メッセージを発信する。
【００２２】
図９及び１０を参照すると、本願の携帯用追跡警報装置の第２考案が示されている。第２考案の携帯用追跡警報装置は、主本体１０及び時計バンド２０から構成される。主本体１０の構成は、第１考案と実質的に同一であり、時計バンド２０は、他の構造を採用している。
【００２３】
本考案において、時計バンド２０の一端は、主本体１０の接続部分に対して旋回し、時計バンド２０は、その中に埋め込まれた２本の可動鋼線２２及び延長可能な延長バネ２６を有している。時計バンド２０は、更にフック２１及び保護外装２７を有する。フック２１は、時計バンド２０に沿ってスライドして、延長の長さを変更する。鋼線２２の一端は、フック２１に接続して、他方端は延長バネ２６と接続している。保護外装２７の一端は、主本体１０に対して旋回される時計バンド２０の部分に接続され、延長バネ２６及び時計バンド２０の部分を覆う。ユーザーは、時計バンド２０を引っ張り延長バネ２６を伸ばし、保護外装２７に関して時計バンド２０及び鋼線２２をスライドさせて、ループ域２０１を調節し、腕に直接携帯用追跡警報装置を装着できる。
【００２４】
フック２１は、主本体１０の接続部分１１に延長して引金式アセンブリ１４を引っかけ、延長バネ２６は、鋼線２２を引っ張るので、フック２１は、引金アセンブリ１４の引っかけ状態を維持し、主本体１０は、検知状態に入る。後に、一度携帯用追跡警報装置がユーザーの腕から外されるかまたは時計バンド２０が（図１０に示すように）外力下で強制的に破損されるならば、フック２１は、引金式アセンブリ１４を引っ張り続けることはできない。それにより、弾性部材１５は引金式アセンブリ１４を押して、ミクロスイッチ１３を揺らして押し、ミクロプロセッサー１２３は、このように無線通信器１２２を制御して、従って警報メッセージを発信する。
【００２５】
本考案は、時計バンドが外れるかまたは破損した状態で、フックが引金式アセンブリを解放する場合、弾性部材が引金アセンブリを駆動して、マイクロスイッチを押すことができる。ユーザーが危険または偶発的事件に遭遇したときに時計バンドが外れるかまたは破損している場合、この機構は、効果的に携帯用追跡警報装置に自動的に警報メッセージを発信させることができる。
【００２６】
以上、本考案について詳細な記載から理解がより深まるようになるが、このように、本考案を限定するものではない。
【図面の簡単な説明】
【００２７】
【図１】本考案に係る第１考案の主本体から分離された時計バンドの斜視図
【図２】本考案に係る第１考案の主本体上にバックルで留められた時計バンドの斜視図
【図３】本考案に係る第１考案の主本体の内部構成部品のブロック図
【図４】本考案に係る第１考案の主本体から分離された時計バンドの部分的斜視図
【図５】本考案に係る第１考案の主本体上にバックルで留められた時計バンドの部分的斜視図
【図６】本考案に係る第１考案の主本体か分離されたバックルで留められた時計バンドの断面図
【図７】本考案に係る第１考案の主本体上にバックルで留められた時計バンドの断面図
【図８】本考案に係る第１考案の主本体内に解放されたバックルの断面図
【図９】本考案に係る第２考案の主本体上にバックルで留められた時計バンドの断面図
【図１０】本考案に係る第２考案の破損された場合の時計バンドの断面図。
【符号の説明】
【００２８】
１０    主本体
１１    接続部分
１２    位置送信器モジュール
１２１  衛星位置決め受信器
１２２  無線通信器
１２３  マイクロプロセッサ
１３    マイクロスイッチ
１４    引金式アセンブリ
１４１  シャフト部分
１４２  接触部分
１４３  フック部分
１４４  引金部分
１５    弾性部材
２０    時計バンド
２０１  ループ域
２１    フック
２２    可動鋼線
２３    接続ベルト
２４    バックリング・ベルト
２５    調節部材
２５１  限定ループ
２５２  埋め込みブロック
２５３  穴
２６    延長バネ
２７    保護外装
【図１】
0003147847.tif 000003
【図２】
0003147847.tif 000004
【図３】
0003147847.tif 000005
【図４】
0003147847.tif 000006
【図５】
0003147847.tif 000007
【図６】
0003147847.tif 000008
【図７】
0003147847.tif 000009
【図８】
0003147847.tif 000010
【図９】
0003147847.tif 000011
【図１０】
0003147847.tif 000012